(57)【要約】【課題】データ容量を抑えて環境非依存の文書書式のページ画像を外部に送出することができる画像処理装置を提供する。【解決手段】画像処理装置１０は、原稿を原稿読取部２にて読み取って得られたページ画像に対して、表示されるページ画像の枠のサイズ情報と上記ページ画像に含まれる実画像のサイズ情報および位置情報とを指定するＰＤＦにて記述されるＰＤＦファイルへ変換するＰＤＦ変換部３１と、ＰＤＦファイルの表示倍率の指定入力を受け付ける操作受付部７と、ＰＤＦファイルを外部に送出する通信部６とを備えている。そして、操作受付部７が受け付けた指定倍率が１以上の場合、上記枠のサイズ情報と実画像のサイズ情報および位置情報とを上記指定倍率に合致するように書き換える。【選択図】図１
2010056804.tif 000002
【特許請求の範囲】
【請求項１】
原稿を原稿読取部にて読み取って得られたページ画像に対して、環境非依存の文書書式で記述される非依存書式を有し、表示条件を指定する表示情報を含む非依存書式ページ画像への変換処理を行う変換部と、
上記非依存書式ページ画像の表示倍率の指定入力である指定倍率を受け付ける倍率受付部と、
上記非依存書式ページ画像を外部に送出する通信部と、
を備え、
上記変換部は、上記倍率受付部が受け付けた指定倍率が１以上の場合、上記非依存書式ページ画像を表示する外部装置での表示倍率が上記指定倍率となるように、上記表示情報を書き換えることを特徴とする画像処理装置。
【請求項２】
原稿を原稿読取部にて読み取って得られたページ画像に対して、表示されるページ画像の枠のサイズ情報と上記ページ画像に含まれる実画像のサイズ情報および位置情報とを指定する環境非依存の文書書式で記述される非依存書式ページ画像への変換処理を行う変換部と、
上記非依存書式ページ画像の表示倍率の指定入力である指定倍率を受け付ける倍率受付部と、
上記非依存書式ページ画像を外部に送出する通信部と、
を備え、
上記変換部は、上記倍率受付部が受け付けた指定倍率が１以上の場合、上記枠のサイズ情報と上記実画像のサイズ情報および位置情報とを上記指定倍率に合致するように書き換えることを特徴とする画像処理装置。
【請求項３】
原稿を原稿読取部にて読み取って得られたページ画像に対して、環境非依存の文書書式で記述される非依存書式を有し、表示条件を指定する表示情報を含む非依存書式ページ画像への変換処理を行う変換部と、
上記非依存書式ページ画像の表示倍率の指定入力を受け付ける倍率受付部と、
上記非依存書式ページ画像を外部に送出する通信部と、
上記ページ画像の画像サイズを、上記原稿読取部にて読み取られた読取サイズおよび上記倍率受付部が受け付けた指定倍率より小さくなるよう縮小変更する変倍部と、
を備え、
上記変換部は、上記変倍部にて縮小変更されたページ画像に対して上記変換処理を行う際、上記非依存書式ページ画像を表示する外部装置での表示倍率が上記指定倍率となるように、上記表示情報を書き換えることを特徴とする画像処理装置。
【請求項４】
上記通信部は、上記非依存書式ページ画像をネットワークに送出することを特徴とする請求項１から３の何れか１項に記載の画像処理装置。
【請求項５】
上記通信部は、上記非依存書式ページ画像を補助記憶装置に送出することを特徴とする請求項１から４の何れか１項に記載の画像処理装置。
【請求項６】
原稿を原稿読取部にて読み取って得られたページ画像に対して、環境非依存の文書書式で記述される非依存書式を有し、表示条件を指定する表示情報を含む非依存書式ページ画像への変換処理を行う変換ステップと、
上記非依存書式ページ画像の表示倍率の指定入力である指定倍率を受け付ける倍率受付ステップと、
上記非依存書式ページ画像を外部に送出する通信ステップと、
を含み、
上記変換ステップでは、上記倍率受付ステップで受け付けた指定倍率が１以上の場合、上記非依存書式ページ画像を表示する外部装置での表示倍率が上記指定倍率となるように、上記表示情報を書き換えることを特徴とする画像処理方法。
【請求項７】
原稿を原稿読取部にて読み取って得られたページ画像に対して、表示されるページ画像の枠のサイズ情報と上記ページ画像に含まれる実画像のサイズ情報および位置情報とを指定する環境非依存の文書書式で記述される非依存書式ページ画像への変換処理を行う変換ステップと、
上記非依存書式ページ画像の表示倍率の指定入力である指定倍率を受け付ける倍率受付ステップと、
上記非依存書式ページ画像を外部に送出する通信部ステップと、
を含み、
上記変換ステップでは、上記倍率受付ステップで受け付けた指定倍率が１以上の場合、上記枠のサイズ情報と上記実画像のサイズ情報および位置情報とを上記指定倍率に合致するように書き換えることを特徴とする画像処理方法。
【請求項８】
原稿を原稿読取部にて読み取って得られたページ画像に対して、環境非依存の文書書式で記述される非依存書式を有し、表示条件を指定する表示情報を含む非依存書式ページ画像への変換処理を行う変換ステップと、
上記非依存書式ページ画像の表示倍率の指定入力である指定倍率を受け付ける倍率受付ステップと、
上記非依存書式ページ画像を外部に送出する通信ステップと、
上記ページ画像の画像サイズを、上記原稿読取部にて読み取られた読取サイズおよび上記倍率受付ステップにて受け付けた指定倍率より小さくなるよう縮小変更する変倍ステップと、
を含み、
上記変換ステップでは、上記変倍ステップにて縮小変更されたページ画像に対して上記変換処理を行う際、上記非依存書式ページ画像を表示する外部装置での表示倍率が上記指定倍率となるように、上記表示情報を書き換えることを特徴とする画像処理方法。
【請求項９】
請求項１から５の何れか１項に記載の画像処理装置を動作させるプログラムであって、コンピュータを上記画像処理装置の変換部として機能させるための画像処理プログラム。
【請求項１０】
請求項９に記載の画像処理プログラムが記録されたコンピュータ読み取り可能な記録媒体。
【発明の詳細な説明】
【技術分野】
【０００１】
本発明は、画像データを変倍処理して送出する画像処理装置、画像送信装置、画像処理方法、画像処理プログラム及びコンピュータ読み取り可能な記録媒体に関するものである。
【背景技術】
【０００２】
従来、スキャナやデジタル複合機には、原稿画像を読み取った画像データを、PDFやXPSといった環境非依存の文書書式の画像データに変換し、ネットワーク接続したサーバ装置に保存する機能、クライアント装置にe-mailで送信するscan to e-mailの機能、USBメモリに書き込むscan to USBの機能等が備わった装置がある。
【０００３】
ここで、一般的に原稿を読み取った画像データはファイルサイズが大きく、蓄積、送出において圧縮が必要となり、このような圧縮技術について、例えば特許文献１に開示された技術がある。
【特許文献１】特開平８−２６５７４８号公報（平成８年１０月１１日公開）
【発明の開示】
【発明が解決しようとする課題】
【０００４】
従来のスキャナやデジタル複合機で、原画像を拡大や縮小した画像を相手先装置にて表示させたい場合、原画像の画像データを、入力された倍率に応じて変倍処理した後、例えばPDFファイルに変換する。そのため、拡大した画像を表示させたい場合、相手先装置に送信する画像データは、拡大率に比例したファイルサイズとなり、特許文献１のように圧縮したとしてもデータ容量が大きくなってしまうという問題がある。よって、環境非依存の文書書式の画像データを、例えば、scan to e-mailで外部に送出する際、e-mailに添付しようとしてもデータ容量の制限により添付できない等の不具合が発生する。また、変倍処理では、電子的な変倍を行うため、拡大しても実際の画像情報としては増えず、画質的なメリットが無い。
【０００５】
本発明は、上記の問題点に鑑みてなされたものであって、その目的は、データ容量を抑えて環境非依存の文書形式のページ画像を外部に送出することができる画像処理装置等を提供することにある。
【課題を解決するための手段】
【０００６】
本発明に係る画像処理装置は、上記課題を解決するために、原稿を原稿読取部にて読み取って得られたページ画像に対して、環境非依存の文書書式で記述される非依存書式を有し、表示条件を指定する表示情報を含む非依存書式ページ画像への変換処理を行う変換部と、上記非依存書式ページ画像の表示倍率の指定入力である指定倍率を受け付ける倍率受付部と、上記非依存書式ページ画像を外部に送出する通信部と、を備え、上記変換部は、上記倍率受付部が受け付けた指定倍率が１以上の場合、上記非依存書式ページ画像を表示する外部装置での表示倍率が上記指定倍率となるように、上記表示情報を書き換えることを特徴としている。
【０００７】
ここで、環境非依存の文書書式とは、出力される装置のＯＳに依存しない文書書式である。上記構成によると、非依存書式ページ画像の表示倍率の指定入力である指定倍率が１以上の場合、上記非依存書式ページ画像を表示する外部装置での表示倍率が倍率受付部が受け付けた指定倍率となるように、非依存書式ページ画像の表示条件を指定する表示情報を書き換える。つまり、非依存書式ページ画像では、実際の画像は拡大されずに、表示情報だけが指示倍率に合致するよう書き換えられる。よって、データ容量を抑えて環境非依存の文書形式のページ画像に変換することができ、この環境非依存の文書形式のページ画像を外部に送出することができる。そのため、環境非依存の文書形式のページ画像を外部に送出させる際、データ容量の制限により送出できない等の不具合の発生を抑制することができ、ユーザにとって利便性の向上を図ることができる。
【０００８】
なお、上記倍率受付部が受け付けた指示倍率が、１より小さい場合、原稿読取部にて読み取って得られたページ画像の画像サイズを上記指示倍率に合致するよう変更し、上記変換部は、この画像サイズを変更したページ画像のデータに対して上記変換処理を行ってもよい。
【０００９】
本発明に係る画像処理装置は、上記課題を解決するために、原稿を原稿読取部にて読み取って得られたページ画像に対して、表示されるページ画像の枠のサイズ情報と上記ページ画像に含まれる実画像のサイズ情報および位置情報とを指定する環境非依存の文書書式で記述される非依存書式ページ画像への変換処理を行う変換部と、上記非依存書式ページ画像の表示倍率の指定入力である指定倍率を受け付ける倍率受付部と、上記非依存書式ページ画像を外部に送出する通信部と、を備え、上記変換部は、上記倍率受付部が受け付けた指定倍率が１以上の場合、上記枠のサイズ情報と上記実画像のサイズ情報および位置情報とを上記指定倍率に合致するように書き換えることを特徴としている。
【００１０】
上記構成によると、非依存書式ページ画像の表示倍率の指定入力である指定倍率が１以上の場合、表示されるページ画像の枠のサイズ情報と上記ページ画像に含まれる実画像のサイズ情報および位置情報とを、受け付けた指定倍率と合致するように書き換える。つまり、非依存書式ページ画像では、実際の画像（実画像）は拡大されずに、枠のサイズ情報と実画像のサイズ情報および位置情報とだけが、指示倍率に合致するよう書き換えられる。よって、データ容量を抑えて環境非依存の文書形式のページ画像に変換することができ、この環境非依存の文書形式のページ画像を外部に送出することができる。そのため、環境非依存の文書形式のページ画像を外部に送出させる際、データ容量の制限により送出できない等の不具合の発生を抑制することができ、ユーザにとって利便性の向上を図ることができる。
【００１１】
本発明に係る画像処理装置は、上記課題を解決するために、原稿を原稿読取部にて読み取って得られたページ画像に対して、環境非依存の文書書式で記述される非依存書式を有し、表示条件を指定する表示情報を含む非依存書式ページ画像への変換処理を行う変換部と、上記非依存書式ページ画像の表示倍率の指定入力を受け付ける倍率受付部と、上記非依存書式ページ画像を外部に送出する通信部と、上記ページ画像の画像サイズを、上記原稿読取部にて読み取られた読取サイズおよび上記倍率受付部が受け付けた指定倍率より小さくなるよう縮小変更する変倍部と、を備え、上記変換部は、上記変倍部にて縮小変更されたページ画像に対して上記変換処理を行う際、上記非依存書式ページ画像を表示する外部装置での表示倍率が上記指定倍率となるように、上記表示情報を書き換えることを特徴としている。
【００１２】
上記構成によると、読み取りサイズと指定倍率との大小関係がどの場合であっても、非依存書式ページ画像を表示する外部装置での表示倍率が倍率受付部が受け付けた指定倍率となるように、表示情報を書き換える。つまり、非依存書式ページ画像では、実際の画像は、読取サイズおよび指定倍率よりも縮小されて、表示情報だけが指示倍率に合致するよう書き換えられる。よって、データ容量を抑えて環境非依存の文書形式のページ画像に変換することができ、この環境非依存の文書形式のページ画像を外部に送出することができる。そのため、環境非依存の文書形式のページ画像を外部に送出させる際、データ容量の制限により送出できない等の不具合の発生を抑制することができ、ユーザにとって利便性の向上を図ることができる。
【００１３】
ここで、上記通信部は、上記非依存書式ページ画像を、ネットワークに送出してもよいし、補助記憶装置に送出してもよい。ネットワークに送出すると、ネットワーク接続された、例えばパーソナルコンピュータ等のクライアント装置に上記非依存書式ページ画像を表示することができる。このネットワークは、無線接続でも有線接続であってもよい。また、補助記憶装置に送出すると、例えば、ＵＳＢメモリ等の補助記憶装置に上記非依存書式ページ画像を保存することができる。
【００１４】
また、本発明に係る画像処理方法は、上記課題を解決するために、原稿を原稿読取部にて読み取って得られたページ画像に対して、環境非依存の文書書式で記述される非依存書式を有し、表示条件を指定する表示情報を含む非依存書式ページ画像への変換処理を行う変換ステップと、上記非依存書式ページ画像の表示倍率の指定入力である指定倍率を受け付ける倍率受付ステップと、上記非依存書式ページ画像を外部に送出する通信ステップと、を含み、上記変換ステップでは、上記倍率受付ステップで受け付けた指定倍率が１以上の場合、上記非依存書式ページ画像を表示する外部装置での表示倍率が上記指定倍率となるように、表示情報を書き換えることを特徴としている。
【００１５】
また、本発明に係る画像処理方法は、上記課題を解決するために、原稿を原稿読取部にて読み取って得られたページ画像に対して、表示されるページ画像の枠のサイズ情報と上記ページ画像に含まれる実画像のサイズ情報および位置情報とを指定する環境非依存の文書書式で記述される非依存書式ページ画像への変換処理を行う変換ステップと、上記非依存書式ページ画像の表示倍率の指定入力である指定倍率を受け付ける倍率受付ステップと、上記非依存書式ページ画像を外部に送出する通信部ステップと、を含み、上記変換ステップでは、上記倍率受付ステップで受け付けた指定倍率が１以上の場合、上記枠のサイズ情報と上記実画像のサイズ情報および位置情報とを上記指定倍率に合致するように書き換えることを特徴としている。
【００１６】
また、本発明に係る画像処理方法は、上記課題を解決するために、原稿を原稿読取部にて読み取って得られたページ画像に対して、環境非依存の文書書式で記述される非依存書式を有し、表示条件を指定する表示情報を含む非依存書式ページ画像への変換処理を行う変換ステップと、上記非依存書式ページ画像の表示倍率の指定入力である指定倍率を受け付ける倍率受付ステップと、上記非依存書式ページ画像を外部に送出する通信ステップと、上記ページ画像の画像サイズを、上記原稿読取部にて読み取られた読取サイズおよび上記倍率受付ステップにて受け付けた指定倍率より小さくなるよう縮小変更する変倍ステップと、を含み、上記変換ステップでは、上記変倍ステップにて縮小変更されたページ画像に対して上記変換処理を行う際、上記非依存書式ページ画像を表示する外部装置での表示倍率が上記指定倍率となるように、表示情報を書き換えることを特徴としている。
【００１７】
上記方法によると、本発明に係る画像処理装置と同様の効果を奏し、データ容量を抑えて環境非依存の文書形式のページ画像を外部に送出することができる。
【００１８】
また、本発明に係る画像処理装置は、コンピュータによって実現してもよく、この場合には、コンピュータを上記画像処理装置における上記変換部として動作させることにより上記画像処理装置をコンピュータにて実現させる画像処理プログラム、及びその画像処理プログラムを記録したコンピュータ読取可能な記録媒体も、本発明の範疇に入る。
【００１９】
これらの構成によれば、上記画像処理プログラムを、コンピュータに読み取り実行させることによって、上記画像処理装置と同一の作用効果を実現することができる。
【発明の効果】
【００２０】
本発明に係る画像処理装置では、以上のように、上記変換部は、上記倍率受付部が受け付けた指定倍率が１以上の場合、上記非依存書式ページ画像を表示する外部装置での表示倍率が上記指定倍率となるように、表示情報を書き換える。
【００２１】
上記構成によると、非依存書式ページ画像の表示倍率の指定入力である指定倍率が１以上の場合、上記非依存書式ページ画像を表示する外部装置での表示倍率が上記指定倍率となるように、非依存書式ページ画像の表示条件を指定する表示情報を書き換える。つまり、非依存書式ページ画像では、実際の画像は拡大されずに、表示情報だけが指示倍率に合致するよう書き換えられる。
【００２２】
また、本発明に係る画像処理装置では、以上のように、上記倍率受付部が受け付けた指定倍率が１以上の場合、上記枠のサイズ情報と上記実画像のサイズ情報および位置情報とを上記指定倍率に合致するように書き換える。
【００２３】
上記構成によると、非依存書式ページ画像の表示倍率の指定入力である指定倍率が１以上の場合、表示されるページ画像の枠のサイズ情報と実画像のサイズ情報および位置情報とを、受け付けた指定倍率と合致するように書き換える。つまり、非依存書式ページ画像では、実際の画像（実画像）は拡大されずに、枠のサイズ情報と実画像のサイズ情報および位置情報とだけが、指示倍率に合致するよう書き換えられる。
【００２４】
よって、上記本発明に係る画像処理装置は、データ容量を抑えて環境非依存の文書形式のページ画像に変換することができ、この環境非依存の文書形式のページ画像を外部に送出することができる。そのため、環境非依存の文書形式のページ画像を外部に送出させる際、データ容量の制限により送出できない等の不具合の発生を抑制することができ、ユーザにとって利便性の向上を図ることができる。
【００２５】
また、本発明に係る画像処理装置では、以上のように、上記変換部は、変倍部にて縮小変更されたページ画像に対して上記変換処理を行う際、上記非依存書式ページ画像を表示する外部装置での表示倍率が上記指定倍率となるように、表示情報を書き換える。
【００２６】
上記構成によると、読み取りサイズと指定倍率との大小関係がどの場合であっても、非依存書式ページ画像を表示する外部装置での表示倍率が倍率受付部が受け付けた指定倍率となるように、表示情報を書き換える。つまり、非依存書式ページ画像では、実際の画像は、読取サイズおよび指定倍率よりも縮小されて、表示情報だけが指示倍率に合致するよう書き換えられる。よって、データ容量を抑えて環境非依存の文書形式のページ画像に変換することができ、この環境非依存の文書形式のページ画像を外部に送出することができる。そのため、環境非依存の文書形式のページ画像を外部に送出させる際、データ容量の制限により送出できない等の不具合の発生を抑制することができ、ユーザにとって利便性の向上を図ることができる。
【発明を実施するための最良の形態】
【００２７】
本発明の一実施形態について図１〜３に基づいて説明する。図１は本実施形態に係る画像処理装置１０の構成図である。図１に示すように、画像処理装置１０は、画像処理部１と、画像処理装置１０の全体を制御する制御部３と、記憶部４と、一時記憶部と、通信部６と、操作受付部７とを備えている。また、画像処理装置１０は、原稿読取部２と接続している。
【００２８】
画像処理装置１０は、例えば、ファクシミリ装置、スキャナ、複合機等の構成の一部として機能してもよい。本実施形態の画像処理装置１０は、原稿を原稿読取部２読み取って得られたページ画像を、出力される装置のＯＳに依存しない文書書式である環境非依存の文書書式を有し、表示条件を指定する表示情報を含む非依存書式ページ画像に変換し、外部に送出する機能を有する。以下の説明では、この非依存書式ページ画像として、表示されるページ画像の枠のサイズ情報と上記ページ画像に含まれる実画像のサイズ情報および位置情報とを指定する、環境非依存の文書書式のページ画像データである、ＰＤＦファイルを用いて説明するが、ＰＤＦファイルに限定されず、例えばＸＰＳファイルでもよい。
【００２９】
原稿読取部２は、原稿載置台上に置かれた原稿を、ＣＣＤカメラを走査して光学的に読み取り、読み取った光学信号を変換してページ画像（ページ画像のデータ）を生成し、画像処理部１に出力する。
【００３０】
画像処理部１は、原稿読取部２から受け取ったページ画像について色補正等の処理を行う画像補正部１１、ページ画像を電子ズーム（演算処理）にて変倍処理するＺｏｏｍ処理部１２、ページ画像を回転処理する回転処理部１３、ページ画像を、文字を含む線画像のデータと中間調画像のデータとに分離する画像分離部１４、文字を含む線画像を圧縮処理する可逆圧縮部１５、中間調画像を圧縮処理する非可逆圧縮部１６を備えている。
【００３１】
ここで、本実施形態では、高圧縮率を実現するため、レイヤー分離に基づく画像圧縮を行う。このレイヤー分離を行うのが、画像分離部１４である。レイヤー分離に基づく画像圧縮技術は、ページ画像を前景レイヤーと背景レイヤーとに分離し、それぞれに適した圧縮技術を用いて圧縮し、最終的に高圧縮画像を生成する。前景レイヤーは、文字を含む線画像を表すものであり、可逆圧縮部１５にて、JBIG（Joint Bilevel Image Group）、MMR（Modified Modified Read Code）、LZW（Lempel Ziv Welch）といった可逆圧縮技術を用いて圧縮処理される。背景レイヤーは、文字を含む線画像以外の中間調画像を表すものであり、非可逆圧縮部１６にて、JPEG（Joint Photographic Experts Group）などの非可逆圧縮技術を用いて圧縮処理される。
【００３２】
可逆圧縮部１５および非可逆圧縮部１６にて圧縮処理された画像データは、一旦記憶部４に記憶される。
【００３３】
操作受付部７は、ユーザの操作操作を受け付けて制御部３に渡すブロックである。また、ユーザが操作するキーやユーザへのメッセージ等を表示してもよく、例えばタッチパネルとして構成されていてもよい。また、操作受付部７は、ＰＤＦファイルの表示倍率の指定入力を指定倍率として受け付ける。
【００３４】
制御部３は、画像処理装置１０の全体を制御し所望の機能を実現するブロックである。また、制御部３は、ＰＤＦ変換部（変換部）３１を備えている。ＰＤＦ変換部３１は、ＰＤＦ変換処理の指示があると、圧縮処理された画像データを記憶部４から読み出し、ＰＤＦファイルにするＰＤＦ変換処理を行う。
【００３５】
ここで、ＰＤＦファイルの仕組みについて図２を用いて説明する。読み取られた原稿ページ画像に含まれる要素画像（実画像）２０（あるいは要素画像を圧縮処理した画像）を拡大あるいは縮小する場合、ＰＤＦファイルの記述子により、任意の位置および任意のサイズにて、拡大あるいは縮小された画像全体（ＰＤＦファイルで示される出力ページ画像）の枠４０内に貼り付けることが可能である。なお、要素画像２０は、図２に示すように、実際の画像２２を囲む矩形領域２１として処理される。拡大あるいは縮小された画像全体の枠４０のサイズ情報は、ページオブジェクト中の/MediaBox[0 0 XXX.XXXXX YYY.YYYYY]記述子により指定される。拡大あるいは縮小された要素画像４１の、枠４０内での（表示上の）サイズ情報および位置情報は、コンテンツストリームオブジェクト中のXXX.XXXXX 0 0 YYY.YYYYY xxx.xxxxx yyy.yyyyy cm記述子により指定される。
【００３６】
ここで、ＰＤＦ変換部３１は、操作受付部７が受け付けた指定倍率（ＰＤＦファイルで示されるページ画像の表示倍率）が、１００％以上の場合、上記枠４０のサイズ情報と要素画像４１の枠４０内での（表示上の）サイズ情報および位置情報を上記指定倍率に合致するように書き換える。なお、本実施形態では、ＰＤＦファイルを、要素画像４１の枠４０内での（表示上の）サイズ情報および位置情報を上記指定倍率に合致するように書き換えるが、ページ原稿に対して、環境非依存の文書書式で記述される非依存書式を有し、表示条件を指定する表示情報を含む非依存書式ページ画像への変換処理を行う装置であれば、次のようになる。つまり、上記倍率受付部が受け付けた指定倍率が１以上の場合、上記非依存書式ページ画像を表示する外部装置での表示倍率が上記指定倍率となるように、上記表示情報を書き換える。
【００３７】
つまり、本実施形態では、操作受付部７が受け付けた指定倍率が、上記原稿ページ画像が読み取られた読取サイズ以上の場合、Ｚｏｏｍ処理部１２で変倍処理されずに、ＰＤＦファイルは、実画像（原稿ページ画像に含まれる要素画像）は拡大されずに、表示されるページ画像の枠のサイズ情報と要素画像のサイズ情報および位置情報についてのファイル形式だけが指定倍率に合致するよう書き換えられる。
【００３８】
記憶部４は、画像処理装置１０で実行される各種プログラムを格納するためのブロックである。また、画像処理部１で処理された画像データを保存する。
【００３９】
一時記憶部５は、原稿読取部２から出力された原稿ページ画像データ、受信したデータ等を一時的に格納するためのブロックである。
【００４０】
通信部６は、通信を制御する通信インタフェースや通信コネクタを備えている。また、通信部６は、ネットワークに接続するネットワーク通信部６１と、補助記憶装置と通信するを補助記憶装置通信部６２とを備えており、ＰＤＦファイルを外部に送出する。ここで、ネットワークとは、有線通信接続であっても無線通信接続であってもかまわない。通信形態によってそれぞれのプロトコルに従って、通信を行う。補助記憶装置は例えばＵＳＢメモリであってもよく、この場合、補助記憶装置通信部６２は、ＵＳＢコネクタを備えている。
【００４１】
これら各部はバスを介して接続されており、各部に対する制御は、制御部３により行なわれる。
【００４２】
次に、本実施形態の画像処理装置１０での処理の流れを、図３に示すフローチャートを用いて説明する。
【００４３】
まず、操作受付部７にてＰＤＦ変換処理を受け付けると、原稿を原稿読取部２にて読み取って得られたページ画像について、画像補正部１１がＰＤＦ変換用の画像補正を行う（Ｓ１）。次に、操作受付部７が受け付けた指定倍率が、１００％未満か否かを判定する（Ｓ２）。１００％未満の場合（Ｓ２にてＹＥＳ）、原稿のページ画像の画像サイズを上記指定倍率に合致するよう縮小する（Ｓ３）。
【００４４】
その後、回転の指示を受け付けている場合には、Ｓ３で縮小されたページ画像について、あるいは、操作受付部７が受け付けた指定倍率が１００％以上の場合（Ｓ２にてＮＯ）はそのままのページ画像について、回転処理部１３が回転処理を行う（Ｓ４）。
【００４５】
次に、画像分離部１４がページ画像の画像分離処理を行う（Ｓ５）。線画像と判定された要素画像については、可逆圧縮部１５が可逆圧縮を行い（Ｓ６）、中間調画像と判定された要素画像については、非可逆圧縮部１６が非可逆圧縮を行い（Ｓ６）、これら圧縮された画像データは、記憶部４に記憶される。
【００４６】
そして、ＰＤＦ変換部３１は、記憶部４から圧縮した画像データを読み出し、ＰＤＦファイルに変換する（Ｓ８）。ここで、上記指定倍率が１００％以上の場合、ＰＤＦ変換部３１は、ＰＤＦファイルへの変換を行う際、ページ画像の枠のサイズ情報と要素画像のサイズ情報および位置情報とを、操作受付部７が受け付けた指定倍率に合致するよう書き換える。指定倍率が１００％より小さい場合には、Ｓ３で原稿ページ画像の画像サイズを指定倍率に合致するよう変更しているので、ＰＤＦ変換部３１は、この画像サイズを変更した原稿ページ画像のデータをＰＤＦファイルに変換する。
【００４７】
最後に、通信部６にてＰＤＦファイルを、実行される通信のプロトコルに従ってネットワークあるいは補助記憶装置に送出する（Ｓ９）。
【００４８】
以上の処理により、画像処理装置１０でのＰＤＦ変換処理が終了する。このＰＤＦ変換処理は、ページ原稿画像毎に行われる。
【００４９】
本実施形態の画像処理装置１０によると、ＰＤＦファイルの表示倍率の指定入力である指定倍率が１以上の場合、ＰＤＦファイルを表示する外部装置での表示倍率が操作受付部７が受け付けた指定倍率となるように、ＰＤＦファイルの記述において、枠のサイズ情報と要素画像のサイズ情報および位置情報とを指定倍率に合致するよう変換する。つまり、ＰＤＦファイルでは、実際の画像は拡大されずに、記述において枠のサイズ情報と要素画像の枠内でのサイズ情報および位置情報とが指示倍率に合致するよう書き換えられる。よって、データ容量を抑えてＰＤＦファイルに変換することができ、このＰＤＦファイルを外部に送出することができる。そのため、ＰＤＦファイルを外部に送出させる際、データ容量の制限により送出できない等の不具合の発生を抑制することができ、ユーザにとって利便性の向上を図ることができる。
【００５０】
ここで、読取サイズと指定倍率との大小関係がどの場合であっても、Ｚｏｏｍ処理部１２が、原稿のページ画像の画像サイズを、変倍処理により読取サイズおよび指定倍率よりも小さくなるよう縮小変更し、ＰＤＦ変換部３１が、ＰＤＦファイルの記述において、枠のサイズ情報を指定倍率に合致するよう書き換えてもよい。
【００５１】
この場合、ＰＤＦファイルでは、実際の画像は、読取サイズおよび指定倍率よりも縮小されて、ファイル形式だけが指定倍率に合致するよう書き換えられる。よって、ＰＤＦファイルのデータ容量を減少させることができる。なお、Ｚｏｏｍ処理部１２での変倍処理は、光学ズームでなく、電子ズーム（演算処理）にて元の情報を拡大しているため、上記非依存書式ファイルで示される出力ページ画像が表示される際の状態を加味して縮小する必要がある。
【００５２】
上記説明では、圧縮したＰＤＦファイルについて説明したが、圧縮しないＰＤＦファイルにも適用できる。また暗号化したＰＤＦファイルにも適用できる。もちろん、圧縮暗号化したＰＤＦファイルにも適用できる。
【００５３】
最後に、画像処理装置１０の各ブロック、特に画像処理部１および制御部３は、ハードウェアロジックによって構成してもよいし、次のようにＣＰＵを用いてソフトウェアによって実現してもよい。
【００５４】
すなわち、画像処理装置１０は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである画像処理装置１０の制御プログラムのプログラムコード（実行形式プログラム、中間コードプログラム、ソースプログラム）をコンピュータで読み取り可能に記録した記録媒体を、上記画像処理装置１０に供給し、そのコンピュータ（またはＣＰＵやＭＰＵ）が記録媒体に記録されているプログラムコードを読み出し実行することによっても、達成可能である。
【００５５】
上記記録媒体としては、例えば、磁気テープやカセットテープ等のテープ系、フレキシブルディスクやハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【００５６】
また、画像処理装置１０を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【００５７】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【００５８】
本発明は、原稿読取部にて読み取られた原稿ページ画像のデータを、ページ画像の枠の情報を指定する環境非依存の文書書式で記述される非依存書式ファイルにする画像処理装置、例えば、ファクシミリ装置、スキャナ、複合機等に用いることができる。
【図面の簡単な説明】
【００５９】
【図１】本発明の一実施形態の画像処理装置の主要構成を示すブロック図である。
【図２】ＰＤＦの記述を説明する図である。
【図３】上記画像処理装置での変換処理の流れを示す図である。
【符号の説明】
【００６０】
１      画像処理部
２      原稿読取部
３      制御部
６      通信部
７      操作受付部（変倍受付部）
１０    画像処理装置
１１    画像補正部
１２    Ｚｏｏｍ処理部（変倍部）
１３    回転部
１４    画像分離部
１５    可逆圧縮部
１６    非可逆圧縮部
２０    要素画像
３０    出力ページ画像
３１    ＰＤＦ変換部（変換部）
４０    枠
６１    ネットワーク通信部
６２    補助記憶装置通信部
【図１】
2010056804.tif 000003
【図２】
2010056804.tif 000004
【図３】
2010056804.tif 000005